(57)【要約】【課題】マスクやスマートフォン等の小物を殺菌対象とすることができ、しかも、柔軟性があって携帯性が高く且つラジカルとオゾンを利用して殺菌能力を高めた携帯用殺菌装置を提供する。【解決手段】携帯用殺菌装置１は殺菌部２と電源部３とを備える。殺菌部２は第１外装材４とグランド電極５と放電電極６−１と第２外装材７とで形成した。第１及び第２外装材４，７は不織布等の繊維である。グランド電極５は、厚さ１００μｍ以下のアルミニウムの薄膜である。蛇行状の放電電極６−１は第１外装材４に糸６０で縫い付けられている。殺菌部２全体が柔軟性を有し、折り曲げ丸めが可能である。電源部３は、殺菌部２にオゾンとラジカルとを発生させる部分であり、直流電源３１と昇圧回路３２とで構成されている。放電電極６−１の折り曲げ間隔ｄは０ｃｍより大きく且つ５ｃｍ以下の範囲内に設定されている。【選択図】図１
0003229235.tif 000002
【実用新案登録請求の範囲】
【請求項１】
折り曲げ丸め自在の柔軟性を有した第１外装材，この第１外装材上に固定されたグランド電極，このグランド電極上に固定された放電電極，及び折り曲げ丸め自在の柔軟性を有し且つこの放電電極を覆うように上記グランド電極上に固定された第２外装材で構成された殺菌部と、この殺菌部に取り付けられ且つ上記放電電極とグランド電極とに所定電圧を印加して放電させることより、オゾンとラジカルとを発生させる電源部とを備えた携帯用殺菌装置であって、
上記殺菌部の放電電極は、隣り合う導線部分が一定の間隔を保持するように曲がった形状の導線とこの導線の表面を被覆した絶縁膜とで形成され、
上記殺菌部のグランド電極は、平面状の金属薄膜で形成され、
上記電源部は、直流電圧を発生する直流電源と、この直流電圧を上記所定電圧に昇圧して、一方の極の電圧を上記導線に印加すると共に他方の極の電圧を上記金属薄膜に印加する昇圧回路とを有する、
ことを特徴とする携帯用殺菌装置。
【請求項２】
請求項１に記載の携帯用殺菌装置において、
上記殺菌部は、平面視において長方形の１枚の平面体である、
ことを特徴とする携帯用殺菌装置。
【請求項３】
請求項１又は請求項２に記載の携帯用殺菌装置において、
上記殺菌部は、殺菌対象を挿抜可能な開口を有し、且つ上記第１外装材が外側に位置すると共に上記第２外装材が内側に位置する袋体である、
ことを特徴とする携帯用殺菌装置。
【請求項４】
請求項１ないし請求項３のいずれかに記載の携帯用殺菌装置において、
上記第１外装材及び第２外装材は、繊維又はシリコンのいずれかで形成されている、
ことを特徴とする携帯用殺菌装置。
【請求項５】
請求項１ないし請求項４のいずれかに記載の携帯用殺菌装置において、
上記放電電極の導線は、銅等の導電体で形成された柔軟性有する線状体であり、
上記放電電極の絶縁膜は、シリコン又はポリエチレンのいずれかで形成された膜体であり、
上記グランド電極である金属薄膜は、アルミニウム，ステンレス又は銅のいずれかで形成された薄膜である、
ことを特徴とする携帯用殺菌装置。
【請求項６】
請求項１ないし請求項５のいずれかに記載の携帯用殺菌装置において、
上記放電電極は、蛇行状、渦巻き状、櫛歯状又は網状のいずれの形状であり、放電電極の隣り合う導線部分の間隔は、０ｃｍより大きく且つ５ｃｍ以下の範囲内の大きさである、
ことを特徴とする携帯用殺菌装置。
【請求項７】
請求項１ないし請求項６のいずれかに記載の携帯用殺菌装置において、
上記放電電極は、上記グランド電極を通じて上記第１外装材に、糸による縫い付け，接着剤，結束バンド，又は溶着のいずれかで固定されている、
ことを特徴とする携帯用殺菌装置。
【請求項８】
請求項１ないし請求項７のいずれかに記載の携帯用殺菌装置において、
上記グランド電極である金属薄膜の厚さは、１００μｍ以下である、
ことを特徴とする携帯用殺菌装置。
【考案の詳細な説明】
【技術分野】
【０００１】
この考案は、マスクやスマートフォン等の小物に付着した菌を殺菌するための殺菌装置に関し、特に携帯用の殺菌装置に関するものである。
【背景技術】
【０００２】
コロナウイルスの影響は２０２０年２月頃から顕著となり、コロナウイルスの除菌や殺菌がこの頃から世界中の人々の間で意識され始めた。
これにより、コロナウイルスの感染や飛散を防ぐために、マスクの需要が急増し、マスクが一時的にコンビニやスーパーの商品棚から姿を消した。
このため、使い捨てのマスクを、アルコールや薬品で殺菌して、何度も使いまわすことにより、マスク不足に対処していた。
このようなマスク不足は徐々に解消されつつある。しかしながら、使用後のマスクやスマートフォンに付着している菌によって、コロナウイルスが感染するのではないかと心配する者も多い。
このようなコロナウイルスを殺菌することができる技術として、例えば特許文献１〜特許文献４に記載された装置がある。
しかしながら、これらの文献に記載の装置は、装置自体が大型で且つ箱型形状が多い。このため、これらの装置をバッグに入れたとしても、装置自体がスペースを取ってしまう。したがって、これらの装置は、手軽に持ち運べる物ではない。
例えば、特許文献１に記載のオゾン発生装置は、取り付けるタイプであるので、殺菌対象も空間を介しての殺菌であり、マスクやスマートフォン等の小物を殺菌目的とした装置ではない。さらに、円筒状の装置であり、マスク等を殺菌しようとしても形状が合わず、マスク等の殺菌には適していない。しかも、オゾンガスのみによる殺菌であり、殺菌対象を短時間で殺菌することは難しい。
また、特許文献２に記載のオゾン発生器は、水を殺菌する装置であり、小物を殺菌対象としてはいない。
また、特許文献３に記載のオゾン消毒装置は、運搬可能であるが、農業用であり、一般大衆が気軽に使用できる物ではない。そして、殺菌対象も限られている。また、この装置は、背負って使うタイプであるので、手軽に携帯できる物ではない。
さらに、特許文献４に記載の装置は、医療デバイスをオゾンで殺菌する装置であり、殺菌性能は高いが大型である。このため、この装置は、携帯することはできず、設置して使うしかない。
【０００３】
これに対して、特許文献５〜特許文献８には、比較的小型な殺菌装置が記載されている。
例えば、特許文献５に記載の装置は、オゾン発生部の一方の電極を絶縁体とし、他方の電極に裸線を利用することで、オゾンを発生させる装置であり、比較的小型に作成することができる。
また、特許文献６〜特許文献８に記載の装置では、それぞれの装置において、絶縁体で被覆された導線と裸導線とを密接させることで、オゾンを 発生させる構造をとっており、かなり小型に設定することができる構造になっている。
【先行技術文献】
【特許文献】
【０００４】
【特許文献１】特開２００４−０７３６９６号公報
【特許文献２】特開２００８−１４９３０２号公報
【特許文献３】実登３１８３６４５号公報
【特許文献４】特表２０１９−５１４８２２号公報
【特許文献５】特開２００１−２２０１１２号公報
【特許文献６】特開平０９−０５９００４号公報
【特許文献７】特開平０７−３０９６０６号公報
【特許文献８】実登３０５１５７１号公報
【考案の概要】
【考案が解決しようとする課題】
【０００５】
しかし、上記した従来の技術では、次のような問題があった。
上記特許文献５に記載の装置では、比較的小型で携帯も可能な構造にすることができるが、オゾン発生部が、一方の電極を絶縁体とし、他方の電極に裸線を利用する構造であるので、オゾン発生部に柔軟性がなく、携帯に適しているとはいえない。
また、特許文献６〜特許文献８に記載の装置では、オゾン発生部が、絶縁体で被覆された導線と裸導線とを単に密接させただけの構造であり、導線を固定した構造でないので、導線の折り曲げを何度も繰り返していると、そのうち導線が緩んでしまう。この緩みがオゾン発生量に影響を与え、装置の殺菌能力を低下させるという問題がある。
【０００６】
この考案は、上述した課題を解決するためになされたもので、マスクやスマートフォン等の小物を殺菌対象とすることができ、しかも、柔軟性があって携帯性が高く且つラジカルとオゾンを利用して殺菌能力を高めた携帯用殺菌装置を提供することを目的とする。
【課題を解決するための手段】
【０００７】
上記課題を解決するために、第１の考案は、折り曲げ丸め自在の柔軟性を有した第１外装材，この第１外装材上に固定されたグランド電極，このグランド電極上に固定された放電電極，及び折り曲げ丸め自在の柔軟性を有し且つこの放電電極を覆うようにグランド電極上に固定された第２外装材で構成された殺菌部と、この殺菌部に取り付けられ且つ放電電極とグランド電極とに所定電圧を印加して放電させることより、オゾンとラジカルとを発生させる電源部とを備えた携帯用殺菌装置であって、殺菌部の放電電極は、隣り合う導線部分が一定の間隔を保持するように曲がった形状の導線とこの導線の表面を被覆した絶縁膜とで形成され、殺菌部のグランド電極は、平面状の金属薄膜で形成され、電源部は、直流電圧を発生する直流電源と、この直流電圧を所定電圧に昇圧して、一方の極の電圧を導線に印加すると共に他方の極の電圧を金属薄膜に印加する昇圧回路とを有する構成とした。
かかる構成により、マスクやスマートフォン等の殺菌対象を、第２外装材に接触又は接近させた状態で、殺菌部上に配置し、電源部を作動させると、直流電源からの直流電圧が、昇圧回路で所定電圧に昇圧され、一方の極の電圧が殺菌部の放電電極の導線に印加されると共に、他方の極の電圧がグランド電極シートである金属薄膜に印加される。
これにより、放電電極から金属薄膜への沿面放電が起こり、オゾンとラジカルとが発生して、これらのガスが、殺菌部の第２外装材から外部に拡散し、第２外装材に接触又は接近配置された殺菌対象を殺菌する。
このとき、オゾンだけでなくラジカルをも利用して、殺菌対象を殺菌するので、殺菌対象を強力に殺菌することができる。
そして、殺菌作業終了後は、電源部を停止して、殺菌対象を殺菌部から取り出すことで、殺菌された清潔な殺菌対象を再使用することができる。
また、電源部の停止後は、殺菌部を折り曲げる等して、小さくすることができる。このとき、殺菌部が、折り曲げ丸め自在の柔軟性を有した第１外装材，グランド電極である金属薄膜，放電電極，及び折り曲げ丸め自在の柔軟性を有した第２外装材で形成されているので、殺菌部全体が柔軟性を有している。したがって、殺菌部自体を小さく折り曲げたり丸めたりすることができるので、この装置をかばんやズボン等のポケットに入れて携帯することができる。
また、殺菌部を小さく折り曲げたり丸めたりして、この装置を携帯しながら、この装置を作動させて、殺菌作業を行うこともできる。
【０００８】
第２の考案は、第１の考案に記載の携帯用殺菌装置において、殺菌部は、平面視において長方形の１枚の平面体である構成とした。
かかる構成により、殺菌対象を平面体である殺菌部の半部側に配置し、この殺菌対象を残りの半部で覆うことができる。これにより、殺菌対象のほぼ全面が、第２外装材に接触又は近接した状態になり、殺菌対象のほぼ全面を殺菌することができる。
【０００９】
第３の考案は、第１の考案又は第２の考案に記載の携帯用殺菌装置において、殺菌部は、殺菌対象を挿抜可能な開口を有し、且つ第１外装材が外側に位置すると共に第２外装材が内側に位置する袋体である構成とした。
かかる構成により、殺菌対象を開口から挿入して袋体である殺菌部内に収納すると、殺菌対象のほぼ全体が、第２外装材に接触又は近接した状態になり、殺菌対象全体を殺菌することができる。このように、殺菌対象を殺菌部に収納することができるので、殺菌対象の落下を心配する必要はない。
【００１０】
第４の考案は、第１の考案ないし第３の考案のいずれかに記載の携帯用殺菌装置において、第１外装材及び第２外装材は、繊維又はシリコンのいずれかで形成されている構成とした。
かかる構成により、殺菌部の柔軟性を確実に高めることができる。
【００１１】
第５の考案は、第１の考案ないし第４の考案のいずれかに記載の携帯用殺菌装置において、放電電極の導線は、銅等の導電体で形成された柔軟性有する線状体であり、放電電極の絶縁膜は、シリコン又はポリエチレンのいずれかで形成された膜体であり、グランド電極である金属薄膜は、アルミニウム，ステンレス又は銅のいずれかで形成された薄膜である構成とした。
かかる構成により、放電電極とグランド電極である金属薄膜との柔軟性をさらに高めることができる。
【００１２】
第６の考案は、第１の考案ないし第５の考案のいずれかに記載の携帯用殺菌装置において、放電電極は、蛇行状、渦巻き状、櫛歯状又は網状のいずれの形状であり、放電電極の隣り合う導線部分の間隔は、０ｃｍより大きく且つ５ｃｍ以下の範囲内の大きさである構成とした。
かかる構成により、放電電極の隣り合う導線部分の間隔が、０ｃｍより大きく且つ５ｃｍ以下の範囲内の大きさであるので、ラジカルによって、強力に殺菌できる範囲を最大限に活用することができる。
【００１３】
第７の考案は、第１の考案ないし第６の考案のいずれかに記載の携帯用殺菌装置において、放電電極は、グランド電極を通じて第１外装材に、糸による縫い付け，接着剤，結束バンド，又は溶着のいずれかで固定されている構成とした。
かかる構成により、放電電極がグランド電極を通じて第１外装材に糸による縫い付け，接着剤，結束バンド，又は溶着のいずれかで固定されているので、上記特許文献８等で問題になっている折り曲げによる導線の緩み現象を確実に防止することができる。
【００１４】
第８の考案は、第１の考案ないし第７の考案のいずれかに記載の携帯用殺菌装置において、グランド電極である金属薄膜の厚さは、１００μｍ以下である構成とした。
かかる構成により、グランド電極シートである金属薄膜が１００μｍ以下の極薄の厚さに設定されているので、殺菌部の柔軟性がさらに高められる。
【考案の効果】
【００１５】
以上詳しく説明したように、これらの考案によれば、柔軟性があって携帯性が高く且つラジカルとオゾンを利用して殺菌能力を高めた携帯用殺菌装置を提供することができる、という優れた効果がある。
すなわち、オゾンだけでなくラジカルの殺菌能力をも利用して、殺菌対象を殺菌することができるので、強力な殺菌効果を得ることができる。
また、殺菌部を小さく折り曲げたり丸めたりすることができるので、装置の使用時、未使用時に拘わらず、この装置をかばんやズボン等のポケットに入れて携帯することができる。このように、小型化が可能な装置であるので、例えば、マスクを外す必要がある食事の際や一時的にマスクを外しているときに、この装置を用いて、スペースを取ることなく、手軽に殺菌することができる。
【００１６】
特に、第６及び第７の考案によれば、強力且つ安定した殺菌能力を有した携帯用殺菌装置を提供することができる、という効果がある。
【図面の簡単な説明】
【００１７】
【図１】この考案の第１実施例に係る携帯用殺菌装置の外観図である。
【図２】携帯用殺菌装置の分解斜視図である。
【図３】携帯用殺菌装置の一部を破断して示す平面図である。
【図４】携帯用殺菌装置の概略断面図である。
【図５】放電電極の固定状態を示す平面図である。
【図６】オゾンとラジカルの発生を説明するための部分拡大断面図である。
【図７】マスクを携帯用殺菌装置の殺菌部上に載せた状態を示す平面図である。
【図８】殺菌部を折った状態を示す部分断面図である。
【図９】放電電極の緩み現象を示す部分拡大断面図である。
【図１０】殺菌部の柔軟性を説明するための斜視図であり、図１０の（ａ）は、殺菌部を三つ折りにした状態を示し、図１０の（ｂ）は、殺菌部を電源部に巻き付けた状態を示す。
【図１１】この考案の第２実施例に係る携帯用殺菌装置の殺菌部と電源部とを分離して示す斜視図である。
【図１２】糸の縫い付け状態を示す側面図であり、図１２の（ａ）は、殺菌部の短辺同士を縫い付けた状態を示し、図１２の（ｂ）は、殺菌部の長辺同士を縫い付けた状態を示す。
【図１３】第２実施例に係る携帯用殺菌装置の使用例を説明するための斜視図である。
【図１４】第２外装材を取り除いて、第３実施例の要部である放電電極の形状を示す平面図である。
【図１５】第２外装材を取り除いて、第４実施例の要部である放電電極の形状を示す概略平面図である。
【図１６】第２外装材を取り除いて、第５実施例の要部である放電電極の形状を示す概略平面図である。
【考案を実施するための形態】
【００１８】
以下、この考案の最良の形態について図面を参照して説明する。
（実施例１）
図１は、この考案の第１実施例に係る携帯用殺菌装置の外観図であり、図２は、携帯用殺菌装置の分解斜視図であり、図３は、携帯用殺菌装置の一部を破断して示す平面図である。
この実施例の携帯用殺菌装置１は、小型の装置であり、図１に示すように、殺菌部２と電源部３とで構成されている。
【００１９】
殺菌部２は、平面視において長方形の１枚の平面体である。この殺菌部２は、マスクやスマートフォン等の小物を殺菌対象としているので、殺菌部２の（幅Ｗ，長さＬ）は、（１５０ｍｍ，１８０ｍｍ）〜（２００ｍｍ，３６０ｍｍ）に設定される。
殺菌部２は、図１及び図２に示すように、第１外装材４とグランド電極５と放電電極６−１と第２外装材７とで形成されている。
【００２０】
第１外装材４は、折り曲げ丸め自在の柔軟性を有した素材で形成されている。かかる素材として、繊維又はシリコンのいずれかを適用することができるが、この実施例では、不織布等の繊維を適用した。
【００２１】
グランド電極５は、第１外装材４とほぼ同形に設定された平面状の金属薄膜であり、第１外装材４上に固定されている。かかる金属薄膜として、アルミニウム，ステンレス又は銅のいずれかで形成された薄膜を適用することができるが、この実施例では、アルミニウムの薄膜を適用した。
このグランド電極５の厚さは、１００μｍ以下に設定されている。第１外装材４と同様に、グランド電極５の柔軟性を確保するためである。
【００２２】
放電電極６−１は、図３に示すように、蛇行状に形成され、グランド電極５上に固定されている。グランド電極５を通じて、放電電極６−１を第１外装材４に糸６０で縫い付けることで、かかる固定を達成している。
図４は、携帯用殺菌装置の概略断面図であり、図５は、放電電極の固定状態を示す平面図である。
図５に示すように、蛇行状の放電電極６−１全体が、糸６０でグランド電極５上に縫い付けられている。かかる状態では、糸６０が、図４に示すように、グランド電極５及び第１外装材４を通って、放電電極６−１に巻き付き、放電電極６−１をグランド電極５側に押し付けて、グランド電極５上に固定している。
なお、この実施例では、第１外装材４に繊維を適用したので、放電電極６−１を糸で縫い付けて固定する構造をとったが、糸の代わりに結束バンドによって、放電電極６−１をグランド電極５上に固定しても良い。また、第１外装材４の素材として、繊維でなく、シリコン等を適用した場合には、放電電極６−１を接着剤や溶着等によってグランド電極５上に固定することができる。
【００２３】
図３に示すように、この放電電極６−１は、蛇行状の導線６１と、この導線６１の表面を被覆した絶縁膜６２とで形成されている。
導線６１は、柔軟性有する線状体であり、導線６１の素材として、銅等の導電体を適用することができる。絶縁膜６２も、柔軟性を有する膜体である。絶縁膜６２の素材として、シリコン又はポリエチレンのいずれかを適用することができるが、この実施例では、絶縁膜６２の素材として、ポリエチレンを適用した。
つまり、放電電極６−１は、放電電極全体の柔軟性を確保することができる素材で形成されている。
このような放電電極６−１は、隣り合う導線６１の部分が一定の間隔ｄを保持するように、折り曲げ固定されている。この間隔ｄは、０ｃｍより大きく且つ５ｃｍ以下の範囲内の大きさに設定されている。
【００２４】
第２外装材７は、図１及び図２に示すように、第１外装材４と同形に形成されており、放電電極６−１を覆うようにグランド電極５上に固定されている。
この第２外装材７も、第１外装材４と同様に、折り曲げ丸め自在の柔軟性を有した柔軟性を有した素材で形成されている。第２外装材７の素材として不織布等の繊維が適用されている。
グランド電極５を通じて、第２外装材７を第１外装材４に糸４７で縫い付けることで、第２外装材７の固定を達成している。
なお、第２外装材７の素材として、シリコンを適用した場合には、第２外装材７を接着剤でグランド電極５上に貼り付けることで固定することができる。
【００２５】
一方、電源部３は、殺菌部２にオゾンとラジカルとを発生させる部分であり、殺菌部２の右側短辺の部分に取り付けられている。
電源部３は、直流電源３１と昇圧回路３２とで構成され、図３に示すように、電源ボタン３０によって、スイッチ３３をＯＮ又はＯＦＦすることができるようになっている。具体的には、電源ボタン３０を押し込むことで、スイッチ３３がＯＮ状態になり、押し込まれた電源ボタン３０を再度押して、元の状態に戻すことで、スイッチ３３がＯＦＦ状態になる。
【００２６】
直流電源３１は、直流電圧を発生させる電源であり、例えば、乾電池やリチウムイオン電池等の電池が用いられる。この直流電源３１の負極側は、昇圧回路３２の負極側入力端子３２ａに接続され、正極側は、スイッチ３３を介して昇圧回路３２の正極側入力端子３２ｂに接続されている。
【００２７】
昇圧回路３２は、直流電源３１からの直流電圧を所定電圧に昇圧して、その昇圧電圧を放電電極６−１とグランド電極５とに印加する回路である。
具体的には、昇圧回路３２の負極側出力端子３２ｃが、配線３２ｅを通じて放電電極６−１の導線６１に接続され、正極側出力端子３２ｄが、配線３２ｆを通じてグランド電極５に接続されている。
この実施例では、直流電源３１の直流電圧を、昇圧回路３２により、−１０ｋＶのパルス状の高周波電圧に昇圧して、導線６１に印加すると共に、０ｋＶの電圧をグランド電極５に印加する。このため、この実施例では、耐電圧が１０ｋＶの放電電極６−１を用いている。
【００２８】
電源部３と殺菌部２とが上記した構造をとることにより、電源部３をＯＮにすると、放電電極６−１からグランド電極５への沿面放電が行われ、オゾンとラジカルとが生成されて、殺菌部２から発散する。
図６は、オゾンとラジカルの発生を説明するための部分拡大断面図である。
−１０ｋＶのパルス状の高周波電圧が放電電極６−１の導線６１に印加されると共に、０ｋＶの電圧がグランド電極５に印加されると、図６に示すように、電子が放電電極６−１からグランド電極５に向かって放電され、沿面放電が生じる。この結果、オゾンＯ3とラジカルＲaとが放電電極６−１の近傍に生成される。これらのオゾンＯ3とラジカルＲaは、繊維製の第２外装材７を通過して、外部に拡散する。したがって、二点鎖線で示すように、マスクＭ等が第２外装材７に接触又は接近していると、マスクＭが、オゾンＯ3とラジカルＲaとによって殺菌されることとなる。
【００２９】
ここで、図３に示すように、放電電極６−１の折り曲げ間隔ｄを０ｃｍより大きく且つ５ｃｍ以下の範囲内に設定した理由を、説明する。
沿面放電を利用して、オゾンガス等を発生させることにより、殺菌対象を殺菌することができる。しかし、従来のオゾン殺菌装置では、オゾンガスのみを用いて殺菌するタイプが多い。
オゾンガスのみでの殺菌効果は一般的にＣＴ値（オゾン濃度（Ｃｏｎｃｅｎｔｒａｔｉｏｎ：ｐｐｍ）×時間（Ｔｉｍｅ：ｍｉｎ））で管理される。奈良県立医科大学，ＭＢＴコンソーシアムの研究グループによるプレスリリースによると、ＣＴ値６０で９０〜９９％、ＣＴ値３３０で、９９．９〜９９．９９％のコロナウイルスが不活化されることが確認されている。
したがって、短時間で十分な殺菌効果を得るためには、高濃度のオゾンガスで処理する必要があるが、高濃度のオゾンガスを使用することは、好ましくない。
そこで、考案者等は以下の確認実験を行った。
まず、１０ｐｐｍのオゾンガス濃度で３０分間殺菌する実験を行った（ＣＴ値３００）。この実験では、ウィルスよりもオゾン耐性が高い一般菌数（大腸菌や黄色ブドウ球菌）は、５０％ほどしか殺菌することができなかった。
次に、沿面放電によって、ラジカルを発生させ、このラジカルとオゾンガスとを組み合わせて殺菌する実験を行った。この実験には、放電電極から±１ｃｍ以内では、９９％の菌が殺菌され、また、±２．５ｃｍ以内では、９０％の菌が殺菌されるという結果を得た。
このことから、ラジカルとオゾンを組み合わせて、沿面放電を行った場合、放電電極６−１から約±２ｃｍの範囲が、強力に殺菌することができる好適範囲であると考えられる。
そこで、考案者等は、菌を強力且つ効率的に殺菌できる許容範囲を考慮して、放電電極６−１の折り曲げ間隔ｄを、０ｃｍより大きく且つ５ｃｍ以下の範囲内に設定した。
【００３０】
次に、この実施例の携帯用殺菌装置１の使用例について説明する。
図７は、マスクを携帯用殺菌装置の殺菌部上に載せた状態を示す平面図であり、図８は、殺菌部を折った状態を示す部分断面図である。
この実施例の携帯用殺菌装置１は、マスクやスマートフォン等の小物を殺菌対象にしているが、ここでは、マスクＭを殺菌対象とした場合の使用例を説明する。
図７に示すように、マスクＭを殺菌部２の右半部２Ａ上に配置する。そして、図８に示すように、殺菌部２の左半部２Ｂを折り曲げて、マスクＭの上面を覆う。これにより、マスクＭのほぼ全面が、殺菌部２の第２外装材７に接触又は近接した状態になる。
かかる状態で、電源ボタン３０を押すと、電源部３が作動し、−１０ｋＶのパルス状の高周波電圧が放電電極６−１の導線６１に印加されると共に、０ｋＶの電圧がグランド電極５に印加される。
これにより、放電電極６−１からグランド電極５への沿面放電が起こり、図６に示したように、オゾンＯ3とラジカルＲaとが殺菌部２の内部で発生して、第２外装材７を通過して拡散する。したがって、図８に示すように、全面が第２外装材７に接触又は近接した状態のマスクＭは、第２外装材７から拡散したオゾンＯ3とラジカルＲaとに晒されことになり、マスクＭは、オゾンＯ3とラジカルＲaとによって、強力に殺菌される。
しかも、図３に示したように、放電電極６−１の隣り合う導線６１部分の間隔ｄが、０ｃｍより大きく且つ５ｃｍ以下の範囲内の大きさに設定されているので、ラジカルＲaの殺菌能力が最大限に発揮され、マスクＭが強力且つ効率的に殺菌されることとなる。
【００３１】
図９は、放電電極の緩み現象を示す部分拡大断面図である。
ところで、上記特許文献８等の装置では、図８に示すように、殺菌部２に該当する部分の折り曲げを繰り返す、又は当該部分を強く曲げると、図９に示すように、放電電極６−１とグランド電極５とが部分的に離れ、放電電極６−１とグランド電極５との間に隙間Ｇが生じ、いわゆる緩み現象が発生する。隙間Ｇが生じている放電電極６−１とグランド電極５との間では沿面放電が発生しないので、殺菌部２における放電面積が減少し、殺菌部２による殺菌効率が低下してしまう。
しかしながら、この実施例に適用された放電電極６−１では、図４及び図５に示したように、放電電極６−１がグランド電極５上に縫い付けられて固定されているので、殺菌部２の折り曲げを繰り返す、又は殺菌部２を強く曲げても、放電電極６−１とグランド電極５との間に隙間Ｇが生じることはなく、いわゆる緩み現象は発生しない。
【００３２】
殺菌作業終了後は、電源部３を停止させる。そして、殺菌部２を図７に示す状態に戻し、マスクＭを殺菌部２から取り出す。
しかる後、殺菌された清潔なマスクＭを使用することができる。
【００３３】
図１０は、殺菌部の柔軟性を説明するための斜視図であり、図１０の（ａ）は、殺菌部を三つ折りにした状態を示し、図１０の（ｂ）は、殺菌部を電源部に巻き付けた状態を示す。
この実施例の携帯用殺菌装置１では、上記したように、第１及び第２外装材４，７を柔軟性がある不織布等の繊維で形成し、厚さ１００μｍ以下のアルミニウムの薄膜をグランド電極５として適用することで、グランド電極５の柔軟性を確保し、導線６１の素材として、銅等の導電体を適用すると共に絶縁膜６２の素材として、ポリエチレンを適用することで、放電電極６−１全体に柔軟性を持たせている。
つまり、殺菌部２全体が折り曲げ丸め自在の柔軟性を有している。
したがって、殺菌作業終了後は、図１０の（ａ）に示すように、殺菌部２を３つに折り曲げておくことができる。また、図１０の（ｂ）に示すように、殺菌部２を電源部３に巻き付けておくこともできる。
このように、殺菌部２自体を小さく折り曲げたり丸めたりすることで、携帯用殺菌装置１をかばんやズボン等のポケットに入れて携帯することができる。
また、殺菌作業終了後だけでなく、殺菌作業中においても、マスクＭ等を殺菌部２で挟んだ状態で、殺菌部２を小さく折り曲げ又は丸めることで、携帯用殺菌装置１を携帯しながら、殺菌作業を行うことができる。
【００３４】
（実施例２）
次に、第２実施例について説明する。
図１１は、この考案の第２実施例に係る携帯用殺菌装置の殺菌部と電源部とを分離して示す斜視図であり、図１２は、糸の縫い付け状態を示す側面図であり、図１２の（ａ）は、殺菌部の短辺同士を縫い付けた状態を示し、図１２の（ｂ）は、殺菌部の長辺同士を縫い付けた状態を示す。
この実施例の携帯用殺菌装置１は、殺菌部２が袋体に形成されている点が上記第１実施例と異なる。
【００３５】
この殺菌部２においては、図８で示したように、左半部２Ｂが右半部２Ａの上まで折り曲げられ、第１外装材４が外側に位置され、第２外装材７が内側に位置されている。
かかる状態で、図１１に示すように、殺菌部２が糸２１によって袋状に縫製されている。具体的には、図１２の（ａ）に示すように、殺菌部２の短辺２ａ，２ｂの縁部同士が、糸２１のかがり縫いによって気密に接合されている。また、図１２の（ｂ）に示すように、殺菌部２の２つの長辺２ｃ，２ｄのうち、重なり合った長辺２ｄの縁部同士が、糸２１のかがり縫いによって気密に接合されている。これにより、図１１に示すように、殺菌部２の重なり合った長辺２ｃの間に開口Ｓが形成されている。
【００３６】
次に、この実施例の携帯用殺菌装置の使用例について説明する。
図１３は、この実施例の携帯用殺菌装置の使用例を説明するための斜視図である。
この携帯用殺菌装置１によって、例えばマスクＭを殺菌する場合には、図１３に示すように、殺菌部２の重なり合った長辺２ｃの上側の縁部を持ち上げて、開口Ｓを広げる。そして、マスクＭを開口Ｓから殺菌部２内に挿入して、マスクＭを殺菌部２内部に収納する。
かかる状態では、図８に示したように、マスクＭのほぼ全体が、第２外装材７に接触又は近接した状態になる。したがって、殺菌部２の開口Ｓを閉じて、電源ボタン３０を押し、電源部３を作動させることで、マスクＭの全体を殺菌することができる。
殺菌作業終了後は、電源部３を停止し、開口Ｓを広げて、殺菌されたマスクＭを殺菌部２から抜き出すことができる。
このように、この実施例の携帯用殺菌装置１によれば、マスクＭを袋体の殺菌部２内に収納した状態で、殺菌作業を行うことができるので、マスクＭの落下を心配することなく、殺菌作業を続けることができる。
なお、この実施例では、上記のように殺菌部２の短辺２ａ，２ｂ同士と重なり合った長辺２ｄ同士を糸２１でかがり縫いすることで接合したが、糸２１を用いずに、溶着や接着剤により気密に接合することで、殺菌部２を袋状に形成しても良い。また、殺菌部２の短辺２ａ，２ｂ同士と重なり合った長辺２ｄ同士をジッパーやマジックテープ（登録商標）で接合する構成とすることで、非使用時には、殺菌部２を長方形の状態にし、使用時には、殺菌部２を袋体に変形することができるので、非常に便利である。
その他の構成，作用及び効果は、上記第１実施例と同様であるので、その記載は省略する。
【００３７】
（実施例３）
次に、第３実施例について説明する。
図１４は、第２外装材を取り除いて、この実施例の要部である放電電極の形状を示す平面図である。
図１４に示すように、この実施例の携帯用殺菌装置は、放電電極の形状が、上記第１実施例と異なる。
すなわち、この実施例の携帯用殺菌装置１に適用される放電電極６−２は、渦巻き状の形状を有している。具体的には、放電電極６−２の隣り合う導線６１（図３参照）部分の間隔ｄが、上記第１実施例と同様に、０ｃｍより大きく且つ５ｃｍ以下の範囲内の大きさに設定されている。
その他の構成，作用及び効果は、上記第１及び第２実施例と同様であるので、その記載は省略する。
【００３８】
（実施例４）
次に、第４実施例について説明する。
図１５は、第２外装材を取り除いて、この実施例の要部である放電電極の形状を示す概略平面図である。
図１５に示すように、この実施例の携帯用殺菌装置は、放電電極６−３の形状が、櫛歯状に形成され、櫛歯６ａの間隔ｄが、０ｃｍより大きく且つ５ｃｍ以下の範囲内の大きさに設定されている。
その他の構成，作用及び効果は、上記第１ないし第３実施例と同様であるので、その記載は省略する。
【００３９】
（実施例５）
次に、第５実施例について説明する。
図１６は、第２外装材を取り除いて、この実施例の要部である放電電極の形状を示す概略平面図である。
図１６に示すように、この実施例の携帯用殺菌装置は、放電電極６−４の形状が、網状に形成されている。正方形の網目６ｂの一片の長さｄが、０ｃｍより大きく且つ５ｃｍ以下の範囲内の大きさに設定されている。
その他の構成，作用及び効果は、上記第１ないし第４実施例と同様であるので、その記載は省略する。
【００４０】
なお、この考案は、上記実施例に限定されるものではなく、考案の要旨の範囲内において種々の変形や変更が可能である。  
例えば、上記実施例では、殺菌部２の構成部材である第１外装材４，グランド電極５，放電電極６−１〜６−４及び第２外装材７の接合において、糸２１，４７，６０を用いた例を記載したが、これらの構成部材間の接合は、糸に限らず、接着剤や溶着等で行っても良いことは勿論である。
【符号の説明】
【００４１】
１…携帯用殺菌装置、  ２…殺部、  ２Ａ…右半部、  ２Ｂ…左半部、  ２ａ，２ｂ…短辺、  ２ｃ，２ｄ…長辺、  ３…電源部、  ４…第１外装材、  ５…グランド電極、  ６−１〜６−４…放電電極、  ６ａ…櫛歯、  ６ｂ…網目、  ７…第２外装材、  ２１，４７，６０…糸、  ３０…電源ボタン、  ３１…直流電源、  ３２…昇圧回路、  ３２ａ…負極側入力端子、  ３２ｂ…正極側入力端子、  ３２ｃ…負極側出力端子、  ３２ｄ…正極側出力端子、  ３２ｅ…配線、  ３２ｆ…配線、  ３３…スイッチ、  ６１…導線、  ６２…絶縁膜、  ｄ…間隔、  Ｇ…隙間、  Ｌ…長さ、  Ｍ…マスク、  Ｏ3…オゾン、  Ｒa…ラジカル、  Ｓ…開口、  Ｗ…幅。
【図１】
0003229235.tif 000003
【図２】
0003229235.tif 000004
【図３】
0003229235.tif 000005
【図４】
0003229235.tif 000006
【図５】
0003229235.tif 000007
【図６】
0003229235.tif 000008
【図７】
0003229235.tif 000009
【図８】
0003229235.tif 000010
【図９】
0003229235.tif 000011
【図１０】
0003229235.tif 000012
【図１１】
0003229235.tif 000013
【図１２】
0003229235.tif 000014
【図１３】
0003229235.tif 000015
【図１４】
0003229235.tif 000016
【図１５】
0003229235.tif 000017
【図１６】
0003229235.tif 000018